(57)【特許請求の範囲】
【請求項１】
断熱箱体内を仕切りで仕切り、この仕切りの上下に貯蔵室を形成し、上側の貯蔵室の後部に着脱自在の背板を配置して通風路を形成し、この通風路内に蒸発器を配置し、前記蒸発器への冷気の通路を前記仕切りと共に形成する通路形成部材を着脱自在に備えた冷蔵庫において、
前記背板と前記通路形成部材を外した場合に、前記蒸発器の上部を回動中心として前記蒸発器の下部を回動できるように前記仕切りの後部に傾斜を設けたことを特徴とする冷蔵庫。
【請求項２】
前記仕切りの後部を前記蒸発器からのドレンを受けるドレン受けとして利用したことを特徴とする請求項１に記載の冷蔵庫。
【請求項３】
前記蒸発器は、複数の伝熱フィンとこれらの伝熱フィンと熱交換する伝熱管とを備えると共に、圧縮機や凝縮器とつながれた冷媒管がこの蒸発器の上方からあるいは上部の横から前記伝熱管につながれた構成であることを特徴とする請求項１又は請求項２に記載の冷蔵庫。
【請求項４】
前記蒸発器には、除霜ヒータが下部あるいは下端部に取付けられていることを特徴とする請求項１〜３のいずれか１項に記載の冷蔵庫。
【発明の詳細な説明】
【０００１】
【発明の属する技術分野】
本発明は、冷凍室や冷蔵室等の貯蔵室を冷却するための蒸発器を貯蔵室の後部に備える冷蔵庫に関する。
【０００２】
【従来の技術】
蒸発器を冷凍室の後部に設けた冷蔵庫は、例えば、特開平９−６１０４０号公報に記載されている。
【０００３】
この公報に記載された冷蔵庫では、断熱箱体内を仕切りで冷凍室や冷蔵室等の複数の貯蔵室に仕切り、冷凍室の後部に冷気の通風路を形成し、この通風路に側方から見て縦長の蒸発器を配置しているものであった。
【０００４】
他の冷蔵庫を図５及び図６に基づいて説明する。
図５及び図６において、５１は冷蔵庫である。この冷蔵庫５１は、断熱箱体５２を仕切り５３で仕切ることにより、上部の冷凍室５４と下部の冷蔵室５５とを形成している。
５６は冷凍室後部に形成された冷気の通風路、５７はこの通風路に配置された縦長の蒸発器、５８はこの蒸発器の上方に配置された送風機、５９は冷凍室５５の背板６７に形成された吹出口、６０は冷凍室５５の底板６６に形成された吸込口である。
６１は仕切り５３に形成された冷気の連通路で、前記吸込口６０と通風路５６の下部の前側とを連通させるものである。また、６３は蒸発器５７に取付けられた除霜ヒータで、蒸発器の前側の中央やや下部に配置されている。また、６６は底板、６７は背板で、この背板も底板も、着脱自在に取付けられている。また、６８、６９は連通路６１の底面側、上面側を形成するための通路形成部材であり、前記背板及び底板と同様に着脱自在に取付けられている。
【０００５】
尚、冷蔵室５５にも吸込口や吹出口が形成されているが図示しない。
【０００６】
この冷蔵庫５１では、蒸発器５７の付属部品（例えば、除霜ヒータ６３や除霜制御用の温度感知センサー等）のメンテナンスを行いやすいようにするために、底板６６や、背板６７、そして、通路形成部材６８、６９等を着脱自在に取付けている。
このため、これらの底板６６や、背板６７、通路形成部材６８、６９を取り外すと蒸発器５７の前面側が広く開放されるものである。
【０００７】
しかし、蒸発器５７の前面側だけしか開放されないため、両側部や後部側のメンテナンスを行う際には、メンテナンスしやすいとまでは云えないものであった。
蒸発器５７の下部や下端部に除霜ヒータを取付けた場合は、手が届きにくい位置になりメンテナンスを行い難くなることが予想される。
【０００８】
【発明が解決しようとする課題】
この発明は、蒸発器やこの付属部品のメンテナンスを行いやすい冷蔵庫を提供するものである。
【０００９】
【課題を解決するための手段】
本発明は、断熱箱体内を仕切りで仕切り、この仕切りの上下に貯蔵室を形成し、上側の貯蔵室の後部に着脱自在の背板を配置して通風路を形成し、この通風路内に蒸発器を配置し、前記蒸発器への冷気の通路を前記仕切りと共に形成する通路形成部材を着脱自在に備えた冷蔵庫において、前記背板と前記通路形成部材を外した場合に、前記蒸発器の上部を回動中心として前記蒸発器の下部を回動できるように前記仕切りの後部に傾斜を設けたことを特徴とするものである。
また、本発明は、断熱箱体内を仕切りで仕切って上下に冷凍室や冷蔵室などの貯蔵室を形成し、上側の貯蔵室の後部に着脱自在の背板を配置して通風路を形成し、この通風路内に蒸発器を配置し、前記貯蔵室に吸込口及び吹出口を形成すると共に、前記吸込口からの冷気を前記蒸発器で冷却して前記吹出口から吹出すように構成した冷蔵庫において、前記仕切りを水平方向に伸びる前部と後ろ側が下向きに傾斜した後部とで構成すると共に、この後部の側方にその一部が位置するように前記蒸発器を配置し、前記吸込口から前記蒸発器への連通路を前記仕切りの後部とで構成する通路形成部材を着脱自在に備え、前記仕切りの後部を、前記蒸発器を斜め前方上へ移動させたときにこの蒸発器の下部の移動範囲外に位置させるかまたはこの蒸発器の下部に触れない形状にするか、あるいは蒸発器の下部が接触した際にこの下部を斜め前方上へ導くガイド部を前記仕切りの後部に形成したものである。
【００１０】
また、前記仕切りの後部を前記蒸発器からのドレンを受けるドレン受けとして利用したものである。
【００１１】
また、前記蒸発器を、複数の伝熱フィンとこれらの伝熱フィンと熱交換する伝熱管とを備えると共に、圧縮機や凝縮器とつながれた冷媒管がこの蒸発器の上方からあるいは上部の横から前記伝熱管につながれた構成としたものである。
【００１２】
更に、前記蒸発器の下部あるいは下端部に、除霜ヒータを取付けたものである。
【００１３】
【発明の実施の形態】
以下、本発明の第1の実施の形態を図１〜図４に基づいて詳述する。
【００１４】
１は冷蔵庫である。この冷蔵庫１は、断熱箱体２を仕切り３で仕切ることにより、上部の冷凍室（例えば約−２０℃に制御される貯蔵室）４と下部の冷蔵室（例えば約３℃に制御される貯蔵室）５とを構成している。
３Ａは仕切り３の水平部分、３Ｂは傾斜部分（仕切りの後部）である。
６は通風路で、冷凍室の後部に縦長に形成されている。前記傾斜部分３Ｂは、冷気の通路を形成するための部材としても作用している。
７はこの通風路に配置された側方から見て縦長の蒸発器である。８は送風機である。９は吹出口、１０は底面側の吸込口、１１は背面側の吸込口である。１２は蒸発器の吸込側（一次側）と吹出側（二次側）とを仕切る仕切部材である。
１３は整流板で、蒸発器７の吸込側の冷気を略均等にするために、蒸発器７の吸込側に配置している。
【００１５】
１４は整流板に形成した開口で、蒸発器７の前面側に冷気を導くためのものである。また１５も整流板に形成した開口で、冷気を蒸発器７の下部側及び背面側に導くためのものである。
【００１６】
図２に示すように、蒸発器７は、主に複数の伝熱フィン２１と、これら多数の伝熱フィン２１と熱交換する蛇行状の伝熱管２２と、前記伝熱フィン２１の側部に取付けられた管板２３とで構成されている。
【００１７】
２４は管板２３に形成された切欠きで、除霜ヒータ４１が前側から取付けられるものである。尚、除霜ヒータ４１としてはガラス管ヒータなどのような電気ヒータを用いており、除霜と共に、冷気中の臭気を分解するような、いわゆる脱臭ヒータとしても兼用されているものである。
【００１８】
２６は遮蔽板で、主に水平部２７と傾斜部２８と垂直部２９とで構成されている。３０は水平部に形成された開口、３１は傾斜部に形成された開口である。３３は上方から伸びて伝熱管に接続された冷媒管で、その他端は、圧縮機や、凝縮器に接続されている。また、位置のみを図示するが、蒸発器７の左側下部の位置３４には、温度ヒューズが取付けられている。
【００１９】
前記蒸発器７には、圧縮機、凝縮器、減圧装置が冷媒管で環状に接続されて冷媒回路が構成されている。しかし、蒸発器７以外の各機器の図示は省略する。また、この冷媒回路には、例えば、冷媒としてＲ１３４ａが充填され、使用されている。
【００２０】
また、図３に示す４５は冷凍室４の底板である。４６は背板である。４７は蒸発器に近い側の通路形成部材で、それぞれ着脱自在に取付けられている。
また、傾斜部分３Ｂの位置並びに形状は、図４に示すように、蒸発器７の上部７Ａを回動中心点にして、あるいは蒸発器の上部はやや動かすことができるためこの部分以外の部分を回動中心点にして下部７Ｂを斜め前方上へ移動させた際に傾斜部分３Ｂの上面（ドレン受けとして使用される）に当たらないような位置になっている。また、５０は傾斜部分３Ｂと着脱自在の通路形成部材４７とで構成される冷気が通過する連通路である。
【００２１】
なお、蒸発器７の付属部品としては、前記除霜ヒータ４１や、図示しない温度ヒューズや、これらと基板からの電線とをつなぐコネクタ（図示せず）や、デフロストセンサ（複数設置されているが図示せず）などである。これらの付属部品を検査や交換などのメンテナンスする際には、蒸発器７を露出させる必要が生じ、できれば、裏側までが見渡せるようにしたり、周囲にメンテナンスのスペースを確保できればメンテナンスを非常に行いやすいものである。
【００２２】
このように構成された冷蔵庫１では、その蒸発器７あるいは付属部品をメンテナンスする際には、次の手順で行う。
【００２３】
まず最初に、冷凍室４の背板４６及び底板４５を取り外す。そして、整流板１３、連通路の通路形成部材４７を取り外す。
そして、送風機８を取り外すと、蒸発器７の上方や斜め前方上にはメンテナンスの邪魔になるものはなくなる。このとき、蒸発器７に上方から冷媒管３３がつながれているので、上部７Ａを大きく前方へ動かすことはできないが、蒸発器７の下部７Ｂを斜め前方上に動かすことはできるものである。
【００２４】
このため、蒸発器７の上部７Ａをほぼ回動中心点として、下部７Ｂを前方上へ回動させると（図４参照）、蒸発器７がメンテナンスしやすい位置となる。
また同時に、蒸発器７の下部に配置されていて、前部を露出させただけではメンテナンスを行いにくい除霜ヒータ４１も、下部７Ｂを前方へ移動させることによってメンテナンスさせやすい位置へと動かすことができると共に、下部７Ｂの周囲にメンテナンス空間を確保することができるので、メンテナンスを容易に行うことができる。
【００２５】
この実施例で説明した冷蔵庫では、上下に並べて貯蔵室が配置されている構造であり、しかも、１つの蒸発器で上下の貯蔵室の冷却を行うものであるので、蒸発器を仕切りの近く、すなわち両貯蔵室の近くに配置しており、冷気を送るためのダクトを長くしなくて済むのでこの構成を採用している。
【００２６】
また、冷蔵庫の奥行き寸法を従来のものと同じのまま各貯蔵室の容積を広くするためには通風路を狭くする必要があり、この条件下で冷却器の能力を従来のものと同等の能力を確保するためには蒸発器を側方から見て縦長にしなければならなくなる。
蒸発器が縦長になると、上側の貯蔵室の後方だけでは収まりきれず、この蒸発器の下端部が下側の貯蔵室の後部に延びることになる。このため、蒸発器の下端を上側の貯蔵室の底板より下方に配置した構造としている。
【００２７】
この実施態様では、上側に冷凍室を下側に冷蔵室を設けた例で説明したが、本願は上中下と３つの貯蔵室に仕切ったものや、４つ以上の貯蔵室に仕切ったものに適用しても構わない。また、全ての貯蔵室が冷蔵室であるものや、冷凍室であるものに適用してもよい。
【００２８】
この実施例では、蒸発器７の下端が仕切りの後部に突っかからないように、蒸発器７の下部７Ｂを回動させたが、当然、蒸発器の下端が仕切りに少々当たっても良い。当たっても、蒸発器７は固定されていないので、蒸発器７は少々の距離だけ上側に移動し、蒸発器７の下部７Ｂを回動は可能である。
【００２９】
【発明の効果】
本発明によれば、メンテナンス時に、蒸発器７の下部を前方に引出すことが出来、作業性が向上する。
【００３０】
また、請求項３に記載の発明によれば、蒸発器が、圧縮機や凝縮器とつながれた冷媒管で上方からあるいは上部の横から前記伝熱管につながれた構成のものを用いたので、蒸発器の上部側が冷媒管につながれていて動かせないものの、下部側を斜め前方上へ移動させることができ、蒸発器の周囲にメンテナンス用の作業空間を確保することができ、蒸発器やこの付属部品のメンテナンスを容易に行うことができる。
【００３１】
また、請求項４に記載の発明によれば、蒸発器に、除霜ヒータが下部あるいは下端部に取付けられていているものを用いていて、これらをメンテナンスし難い構造であるものの、通路形成部材や背板を外して、蒸発器の下部を斜め前方上に移動させ、除霜ヒータをメンテナンスしやすい位置にすることができるので、高さ寸法が抑えられて蒸発器や仕切りなどが入り組んだ形状でメンテナンスし難いと思われる冷蔵庫においても蒸発器の周囲にメンテナンス用の空間を確保でき、蒸発器やこの付属部品のメンテナンスを容易に行うことができる。
【図面の簡単な説明】
【図１】  本発明の冷蔵庫において扉や圧縮機などを省略して示す断面図である。
【図２】  同冷蔵庫の蒸発器と除霜ヒータ等を示す斜視図である。
【図３】  同冷蔵庫の要部を示す断面図である。
【図４】  同冷蔵庫の蒸発器や付属部品のメンテナンス時の様子を示す説明図である。
【図５】  従来の冷蔵庫の要部を示す断面図である。
【図６】  同従来の冷蔵庫の蒸発器や付属部品のメンテナンス時の様子を示す断面図である。
【符号の説明】
１          冷蔵庫
２          断熱箱体
３          仕切り
３Ｂ        傾斜部分（ドレン受け、仕切りの後部）
４          冷凍室（貯蔵室）
５          冷蔵室（貯蔵室）
６          通風路
７          蒸発器
７Ａ        蒸発器の上部
７Ｂ        蒸発器の下部
８          送風機
１０        吸込口
２１        伝熱フィン
３３        冷媒管
４１        除霜ヒータ
４５        底板
４６        背板
４７        通路形成部材
【図１】
0003831620.tif 000002
【図２】
0003831620.tif 000003
【図３】
0003831620.tif 000004
【図４】
0003831620.tif 000005
【図５】
0003831620.tif 000006
【図６】
0003831620.tif 000007